(57)【要約】      （修正有）【課題】少ない労力で高枝切りを実現する高枝切りのこぎりを提供する。【解決手段】鋸柄２の先端に鋸刃１を元より鋸先が下がるように装置する。鋸柄に枝押さえ支持金具９を設け、枝押さえ金具４を、枝押さえ梃金具５の先端に設け軸１１に取り付ける。２本の枝押さえ梃金具を連結金具１４でセットし、また、枝押さえ梃金具と鋸柄とをスプリング８で繋ぐ、枝押さえ梃金具の他方の先端にワイヤー７をとりつける。ワイヤーを引くスプリング８クランク金具１５と連結したワイヤー引きレバー６を装置した、枝押さえスライドハンドル３を鋸柄にセットする。１６は鋸柄に内装したスライド留め金具である。枝の太さに合わせスライドハンドルを引き、また、切り込みに合わせてスライドハンドルのレバーを鋸柄とともに引く。【選択図】図１
2007244356.tif 000002
【特許請求の範囲】
【請求項１】
長尺鋸柄の先端に鋸刃を装着し、鋸柄に枝押さえ梃支持金具を設け、枝押さえ梃金具の先端に枝押さえ金具を設け、梃金具をワイヤ−で引く事により鋸刃と枝押さえ金具で、切る枝に適度な圧力をかけて切る事を特長とする、
高枝切りのこぎり。
【請求項２】
スライドハンドルに、ワイヤ−引きのレバ−付きクランク、スプリング、スライド留めレバ−を装備、鋸柄にスライド留め金具を設けた事を特長とする、
高枝切りのこぎり。
【請求項３】
長尺の鋸柄の先端に鋸刃を装着、枝押し柄の先端に鋸ぶれ防止付き枝押し金具を設け、鋸柄に滑車を設け、滑車を設けた枝押しスライドハンドルをワイヤ−で滑車と滑車を連結しスライドハンドルを引く事により枝押し柄を送り出し、両手で枝を切る事を特長とする
高枝切りのこぎり。
【発明の詳細な説明】
【技術分野】
【０００１】  本発明は、高枝を切る為ののこぎりに関する。
【背景技術】
【０００２】  従来の高枝切りのこぎりは、細枝切りカッタ−に付随して鋸刃を取り付け使用するものが主流である。また、ロ−プやスプリングを使用して枝を切るものもある（例えば、特許文献１参照。）。
【特許文献１】  特開２０００−２３６７４８号公報
【発明の開示】
【発明が解決しょうとする課題】
【０００３】  高い位置の枝を切る為には、長い鋸柄ののこぎりを使用する事になる。また、長ければ長いほど枝を切る圧力のために、鋸柄に圧力を加えなければならない。又、その為に余分な力が掛かれば枝がゆれて切りずらい。又、揺れを押さえる装置を働かせるのには、ロ−プ等を使用、その為に、片方の手で鋸柄を引く事もあり大変な労力が必要となる。
【０００４】  本発明は、このような従来の問題を解決しようとするものであり、少ない労力で高枝切りを実現することを目的とするものである。
【課題を解決するための手段】
【０００５】  この課題を解決するための請求項１の本発明は、鋸刃と対になる枝押さえ金具を設け、その金具を鋸柄を支点としたワイヤ−付き梃金具を働かせ、切る枝を挟み込み適度な圧力をかけ主に引く力だけで枝を切る。
【０００６】  また、請求項１の梃金具を、枝の太さに合わせ、適度な圧力を働かせるための請求項２のワイヤ−引き装置付きスライドハンドルを鋸柄にセット、スライドハンドルに設けたレバ−を鋸柄とともに引いて枝を切る。
【０００７】  また、請求項３の揺れて切りにくい細めの枝のために、鋸刃のくい込みによる枝引きを阻止する為に、滑車を利用した枝押しスライドハンドル装置を、鋸柄にセットしてスライドハンドルと共に鋸柄を引くことにより枝をきる。
【発明の効果】
【０００８】  本発明の梃の利用による高枝切りは、高い位置にある太めの枝、堅い枝等切り込みの為の鋸柄にかける圧力があまり必要なく引く力が主となり労力が軽減される。また、揺れて切りにくい枝も、枝押し装置（スライドハンドルを鋸柄にセット）とともに鋸柄を引くことにより楽に切ることができる。
【発明の実施するための最良の形態】
【０００９】  以下、本発明の実施の形態を図１〜図７に基づいて説明する。
【００１０】  図１においては、鋸柄２の先端に鋸刃１を元より鋸先が下がるように（切り込み分、くい込みやすい）装置する。
【００１１】  図２においては、鋸柄２に枝押さえ梃支持金具９を設け、枝押さえ金具４を、枝押さえ梃金具５の先端に設け軸１１に取り付ける、２本の枝押さえ梃金具を連結金具１４でセットし、また、枝押さえ梃金具５と鋸柄２とをスプリング８で繋ぐ、枝押さえ梃金具５の他方の先端にワイヤ−７をとりつける。
【００１２】  図３においては、ワイヤ−７を引くスプリング８、クランク金具１５と連結したワイヤ−引きレバ−６を装置した、枝押さえスライドハンドル３を鋸柄２にセットする。
また、鋸柄２に内装したスライド留め金具１６を設ける。
【００１３】  以上の一連の装置を作動させ、枝の太さに合わせスライドハンドルを引く。また、切り込みに合わせてスライドハンドルのレバ−を鋸柄とともに引く。ワイヤ−ガイド金具１３を鋸柄２の数カ所に設け、ワイヤ−数カ所をスナップ１２を取り付け繋ぐ。鋸柄の伸縮（従来の方法等）に伴いワイヤ−の伸縮をスナップ同士で繋ぐ。
【００１４】  図４においては、鋸柄２の先端に鋸刃１を刃先が元より下がるように装着する、また、枝押し柄１７の先端に、鋸振れ防止付き枝押し金具１９を設け、スライド支持金具２２で鋸柄２と枝押し柄１７をセットする。
【００１５】図５においては、枝押し柄１７がスライドするための装置、滑車２１を左右に設けた枝押しスライドハンドル１８を鋸柄２と枝押し柄スライド部材２０にセットする。また、枝押しスライドハンドル１８の左右の鋸柄２に滑車２１を設け、鋸柄の支点Ａとスライドハンドル取り付け滑車（左）と鋸柄に設けた滑車（左）、枝押し柄の支点Ｃをワイヤ−７で連結する、右側も鋸柄支点Ｂ、スライドハンドル取り付け滑車、鋸柄に設けた滑車、枝押し柄スライド部材の支点Ｄをワイヤ−７で連結する。この一連の枝押し装置を使用しスライドハンドルと鋸柄を共に引くことにより枝のゆれを押さえ、切る事が容易になる。
又、枝切り作業の能率を良くするためには、枝の太さ、材質に合った鋸刃（細目、中目、荒目）、等を用意すると良い。
【図面の簡単な説明】
【００１６】
【図１】  本発明の全体の側面図（枝押さえ高枝切り）
【図２】  同鋸刃部分の構造を示す拡大正面図（同じ）
【図３】  同枝押さえスライド部分の構造を示す拡大正面図（同じ）
【図４】  同全体の側面図（枝押し高枝きり）
【図５】  同枝押しスライド部分の構造を示す拡大側面図（同）
【図６】  同鋸刃部分の構造を示す拡大正面図（同）
【図７】  同枝押しスライド部分の拡大正面図（同）
【符号の説明】
【００１７】１    鋸刃                            １２  スナップ（ワイヤ−長さ調整）
２    鋸柄                            １３  ワイヤ−ガイド金具
３    枝押さえスライドハンドル        １４  連結金具
４    枝押さえ金具                    １５  クランク金具
５    枝押さえ梃金具                  １６  スライド留め金具
６    ワイヤ−引きレバ−              １７  枝押し柄
７    ワイヤ−                        １８  枝押しスライドハンドル
８    スプリング                      １９  鋸振れ防止付き枝押し金具
９    枝押さえ梃支持金具              ２０  枝押し柄スライド部材
１０  ワイヤ−引きスライド留めレバ−  ２１  滑車
１１  軸                              ２２  スライド支持金具（鋸柄、枝押し柄部）
【図１】
2007244356.tif 000003
【図２】
2007244356.tif 000004
【図３】
2007244356.tif 000005
【図４】
2007244356.tif 000006
【図５】
2007244356.tif 000007
【図６】
2007244356.tif 000008
【図７】
2007244356.tif 000009